(57)【要約】【課題】  財布外部の一か所のみを開くことで、紙幣と硬貨が瞬時に区分けして挿入出来、同時に両方が見渡せながら、選び触れられ取り出せること、かつ、それらがその同じ一か所から行えることを可能とする、財布を提供する。【解決手段】  対面位置の幅広な主たる二側面部と、それを繋ぐ開閉に関わる幅狭な疑似的左右二側面部、疑似的上面部と、底面部から成る財布に於いて、その本体内側の疑似的左右側面部に、底面部から離れた仕切りベルトを、主たる二側面部と同方向に設けたことを特徴とする。【選択図】図２
2012055653.tif 000002
【特許請求の範囲】
【請求項１】
対面位置の幅広な主たる二側面部と、それを繋ぐ開閉に関わる幅狭な疑似的左右二側面部、疑似的上面部と、底面部から成る財布に於いて、その本体内側の疑似的左右側面部に、底面部から離れた仕切りベルトを、主たる二側面部と同方向に設けたことを特徴とする、ベルト活用財布。
【請求項２】
対面位置の幅広な主たる二側面部と、それを繋ぐ開閉に関わる幅狭な疑似的左右二側面部、疑似的上面部と、底面部から成る財布に於いて、その本体内側の疑似的左右側面部に、上辺と下辺の長さに違いのある台形状の仕切りベルトを設けたことを特徴とする、請求項１記載のベルト活用財布。
【請求項３】
対面位置の幅広な主たる二側面部と、それを繋ぐ開閉に関わる幅狭な疑似的左右二側面部、疑似的上面部と、底面部から成る財布に於いて、その本体内側の疑似的左右側面部に、長方形状の仕切りベルトを、また主たる側面部と平行に底面部から上向きに薄片状のストッパーを設けたことを特徴とする、請求項１記載のベルト活用財布。
【請求項４】
対面位置の幅広な主たる二側面部と、それを繋ぐ開閉に関わる幅狭な疑似的左右二側面部、疑似的上面部と、底面部から成る財布に於いて、その本体内側の疑似的左右側面部に、平行四辺形状の仕切りベルトを、高低差をつけて設けたことを特徴とする、請求項１記載のベルト活用財布。
【請求項５】
少なくとも仕切りベルトの上端は一方以上の主側面部側へ、他に影響することなく届く長さを有する、請求項１、２、３、４記載のベルト活用財布。
【発明の詳細な説明】
【技術分野】
【０００１】  本発明は財布類に関するものである。
【背景技術】
【０００２】  従来品として、紙幣と硬貨の挿入箇所を仕切って設けたものでは、当二種をその二か所から別々に取り出す仕組みのものがあった。薄片状の紙幣、カード等の挿入箇所として、それぞれが下端を接合した袋状の物があった。
【先行技術文献】
【０００３】
【特許文献１】特開２００６−３４０８８３  公開特許公報
【発明の概要】
【発明が解決しようとする課題】
【０００４】  そのために次のような問題点があった。
（イ）紙幣と硬貨用に仕切った場合では、紙幣と硬貨が必要な時はそのか所を別々に開    けなければならなかった。
（ロ）紙幣、硬貨やカードの収納箇所が個別に下端を接合して袋状にしているため、か    さばった。
（ハ）硬貨収納箇所を開くのが面倒だった。
【発明を解決するための手段】
【０００５】  対面位置の幅広な主たる二側面部と、それを繋ぐ開閉に関わる幅狭な疑似的左右二側面部、疑似的上面部と、底面部から成る財布に於いて、その本体内側の疑似的左右側面部に、底面部から離れた仕切りベルトを、主たる二側面部と同方向に設けたことを特徴とする。
【発明の効果】
【０００６】  財布外部の一か所のみを開くことで紙幣、硬貨の両方を挿入収納でき、挿入と同時に区分け出来、また同じ挿入口から、両方を見渡しながら、選びだせるようになった。
本体の側面の長さよりも挿入口の長さが長く、紙幣を挿入しやすくなった。
仕切り下端が本体底面部から離れているために、硬貨が紙幣挿入箇所から挿入しても本体底面上に集まることができ、硬貨をどちらに入れてもよくなった。
仕切りが嵩張らなくなった等で、その存在が邪魔をしなくなった。
台形状の仕切りを同じ幅に対して接合しているので、長い上端側は大きく開口した挿入口となり、短い下端側は狭くなり紙幣を束として固定できる挟持口となった。
【図面の簡単な説明】
【０００７】
【図１】    第一形態の仕切りベルトの正面図である。
【図２】    第一形態の斜視図である。
【図３】    第一形態の明細図である。
【図４】    第一形態の使用斜視図
【図５】    第一形態の使用平面図である。
【図６】    第二形態の仕切りベルトの正面図である。
【図７】    第二形態の斜視図である。
【図８】    第二形態の明細図である。
【図９】    第二形態の使用平面図である。
【図１０】    第三形態の仕切りベルトの正面図である。
【図１１】    第三形態の斜視図である。
【図１２】    第三形態の明細図である。
【図１３】    第三形態の使用平面図である。
【図１４】    全形態に共通する応用例である。
【図１５】    全形態に共通する応用例である。
【発明を実施するための形態】
【０００８】  以下、本発明の実施の形態について説明する。
先ず図１〜図５を用いて第一形態を説明する。
図１は台形状の仕切りベルト（２）の正面図で、上辺（３）は下辺（５）より長いため、その両端の左辺（１）、右辺（４）は斜めになっている。この斜め方向は留め具の取り付け位置、利き手との関係で決まり、また斜めの入射角は本体の大きさや紙幣挿入箇所（図３の１７）の幅に関わってくる。横幅については少なくとも下辺の短い側が本体の左右の疑似的側面部（図２の７、１１）に無理なく届く長さ、縦幅については紙幣が内側へ倒れることなく収まる幅とする。これらの条件は後述の形態に通じる。
図２は仕切りペルトを本体内部に取り付けた斜視図である。本体は、上主側面部（９）、下主側面部（１２）と、開閉に関わる疑似的左側面部（７）、疑似的右側面部（１１）、疑似的上面部（８）と、底面部（１３）から成り、補助部として留め具（６）、ファスナー（１４）、扇体（１０）等がある。補助部については以降の図面から省略することもある。図３で仕切りベルトの取り付け方の詳細を示し、ａは下主側面部等のその他を剥がした正面図で、仕切りベルトの上辺位置は、紙幣を差し込み易い幅分を本体上面位置（１５）より下側の、かつ仕切りベルトを超えて紙幣が硬貨用空間に倒れることのない高さ幅を有した位置とする。疑似的側面部への接合位置は、通常収納する紙幣の厚み分の空間を取った位置となる。これらの条件は以下に通じる。下辺は本体の底面部と離れ、この生じた隙間が硬貨の通過用空間（１６）となる。ｂは上面部を剥がした平面図で、仕切りベルトが、紙幣挿入箇所（１７）と硬貨用空間（１８）を区分けしたその上辺と下辺位置を、ｃは左側面部を剥がした左側面図で、上辺中点（１９）並びに斜めとなる仕切りベルトの中央状態を示す。
使い方について説明すると、図４は本体を左手で持った場合の斜視図で、掌に本体の底面部の角部を当てた時に、親指（２０）が触れる側を上主側面部、その他の指が触れる側を下主側面部としたことが確認できる。図５は疑似的上面部を剥がした場合の、右手で掴んだ紙幣（２１）や硬貨（２２）の挿入の仕方を示す平面図で、紙幣については目的とする紙幣挿入箇所に挿入することを意識して行うが、硬貨は紙幣の上に載せても紙幣の下側に握った状態からでも、無造作に落し入れられることを示す。仕切りベルトの上端は紙幣を挿入し易いように下主側面部側へ湾曲し大きく開口し、下端側は狭い開口状態となり紙幣を束でまとめるストッパー機能を有している。
【０００９】  図６〜図９を用いて第二形態を説明する。第一形態に対し新たに底面部に薄片を立体向きに設けるが、これは硬貨の通過に邪魔にならない大きさと間隔や枚数とし、前形態の仕切りベルト下辺の機能を代用する。
図６は図１に準じる正面図で、ａは長方形の仕切りベルト（２）、ｂは薄片（２３）である。図７は前図２に準じる斜視図で、仕切りベルトの下端位置は第一形態の下端箇所より下主側面部側へ移動する。図８は前図３に準じる説明図で、ａで第一形態に対し新たな薄片を、ｂで上主側面部（９）と仕切りベルトの間に薄片を、ｃで仕切りベルトの上辺中点（１９）と垂線状を示す中央状態と薄片の位置を、示している。図９は前図５に準じる平面図で、薄片の存在が紙幣の挿入に支障をきたさないことを示している。
【００１０】  図１０〜図１３用いて第三形態を説明する。
図１０は図１、図６に準じた平行四辺形の仕切りベルト（２）の正面図である。左辺（１）、右辺（４）の斜め方向や入射角は第一形態の条件に準じる。図１１は前図２、図７に準じる斜視図で、仕切りベルトの左端側が、扇体（１０）の奥側に隠れている。図１２は前図３、図８に準じる説明図で、ａで斜めに設けた仕切りベルトを示し、その下辺（５）位置は硬貨の通過が滞りなく出来る位置とする。ｂは仕切りベルトの長さに余裕がない場合の平面図で、紙幣挿入箇所（１７）と硬貨用空間（１８）が、直線状の仕切りベルトで仕切られている。ｃはｂと同じ仕切りベルトの場合である。図１３は前図５、図９に準じる使い方を示す平面図で、上下向き斜めに開口した箇所に紙幣（２１）を差し込むことが異なるが、その他は前形態同様である。
【００１１】  付記として以下を述べる。図１４は下主側面部（１２）側の活用例で、ａでカード挿入箇所（２４）として、長方形の仕切りベルト（２）を設けた場合を示し、この下主側面部と仕切りベルトをセットとし、数セットを並立させて設けることも可能である。ｂではカード積載箇所を階段床（２６）にし、間に薄片（２３）を挟む等して、カード（２５）が重ねて差し込める場合を示し、ｃで階段床下を印鑑や筆記具用空間（２７）とする、あるいは当空間を設けることで段差を生じさせた場合を示した。
本体形態について述べると、図１５のようにファスナー用の留め具を別の留め具（６）に変えるような場合も可能であり、縦幅はパスポートを対象とした時にはそれに対応させ、横幅は紙幣を半折で挿入する場合、それに対応させる。
また、当発明は財布のみならず、挿入物を区分けする別の袋体に応用可能となる。
【符号の説明】
【００１２】１    左辺                ２    仕切りベルト          ３    上辺
４    右辺                ５    下辺                  ６    留め具
７    疑似的左側面部      ８    疑似的上面部          ９    上主側面部
１０  扇体                １１  疑似的右側面部        １２  下主側面部
１３  底面部              １４  ファスナー            １５  本体上面位置
１６  通過用空間          １７  紙幣挿入箇所          １８  硬貨用空間
１９  上辺中点            ２０  親指                  ２１  紙幣
２２  硬貨                ２３  薄片                  ２４  カード挿入箇所
２５  カード              ２６  階段床                ２７  筆記具用空間
【図１】
2012055653.tif 000003
【図２】
2012055653.tif 000004
【図３】
2012055653.tif 000005
【図４】
2012055653.tif 000006
【図５】
2012055653.tif 000007
【図６】
2012055653.tif 000008
【図７】
2012055653.tif 000009
【図８】
2012055653.tif 000010
【図９】
2012055653.tif 000011
【図１０】
2012055653.tif 000012
【図１１】
2012055653.tif 000013
【図１２】
2012055653.tif 000014
【図１３】
2012055653.tif 000015
【図１４】
2012055653.tif 000016
【図１５】
2012055653.tif 000017